(57)【要約】【課題】接続された燃料電池システムに関して十分な情報を収集する技術を提供する。【解決手段】電力管理システムサーバ１４は、燃料電池システムの第２制御装置２２８に接続される。受信部５００は、燃料電池システムに関する情報を燃料電池システムから受信する。処理部５０２は、受信部５００において受信した情報をもとに処理を実行する。燃料電池システムに関する情報は、燃料電池システムに供給される燃料の種類に関する情報を含む。【選択図】図３
2018207629.tif 000002
【特許請求の範囲】
【請求項１】
燃料電池システムに接続される電力管理システムであって、
前記燃料電池システムに関する情報を前記燃料電池システムから受信する受信部と、
前記受信部において受信した情報をもとに処理を実行する処理部とを備え、
前記燃料電池システムに関する情報は、前記燃料電池システムに供給される燃料の種類に関する情報を含むことを特徴とする電力管理システム。
【請求項２】
前記燃料電池システムに供給される燃料の種類に関する情報は、ガスの種類に関する情報を含むことを特徴とする請求項１に記載の電力管理システム。
【請求項３】
前記ガスの種類に関する情報は、都市ガスまたはプロパンガスを示すことを特徴とする請求項２に記載の電力管理システム。
【請求項４】
前記受信部は、前記燃料電池システムに供給される燃料の種類に関する情報を送信する機能の有無に関する情報を前記燃料電池システムから受信することを特徴とする請求項１から３のいずれかに記載の電力管理システム。
【請求項５】
前記受信部において、前記燃料電池システムに供給される燃料の種類に関する情報を送信する機能を有していることに関する情報を受信してから、前記燃料電池システムに供給される燃料の種類に関する情報を要求するための情報を送信する送信部をさらに備えることを特徴とする請求項４に記載の電力管理システム。
【請求項６】
前記燃料電池システムに関する情報は、前記燃料電池システムの種類に関する情報を含むことを特徴とする請求項１から５のいずれか１項に記載の電力管理システム。
【請求項７】
前記燃料電池システムに関する情報は、前記燃料電池システムにおいて使用されるガスの消費量に関する情報を含むことを特徴とする請求項１から６のいずれか１項に記載の電力管理システム。
【請求項８】
電力管理システムに接続される燃料電池システムであって、
本燃料電池システムに関する情報を生成する生成部と、
前記生成部において生成した情報を前記電力管理システムに送信する送信部とを備え、
本燃料電池システムに関する情報は、本燃料電池システムに供給される燃料の種類に関する情報を含むことを特徴とする燃料電池システム。
【請求項９】
燃料電池システムに接続される電力管理システムにおける受信方法であって、
前記燃料電池システムに関する情報を前記燃料電池システムから受信するステップと、
受信した情報をもとに処理を実行するステップとを備え、
前記燃料電池システムに関する情報は、前記燃料電池システムに供給される燃料の種類に関する情報を含むことを特徴とする受信方法。
【請求項１０】
燃料電池システムに接続される電力管理システムにおけるプログラムであって、
前記燃料電池システムに関する情報を前記燃料電池システムから受信するステップと、
受信した情報をもとに処理を実行するステップとを備え、
前記燃料電池システムに関する情報は、前記燃料電池システムに供給される燃料の種類に関する情報を含むことをコンピュータに実行させるためのプログラム。
【発明の詳細な説明】
【技術分野】
【０００１】
本発明は、電力を管理する電力管理システム、燃料電池システム、受信方法、プログラムに関する。
【背景技術】
【０００２】
電力管理システムでは、需要家に設置された機器が制御装置によって制御される。機器は、例えば、太陽電池、蓄電池、燃料電池等の分散電源、家電機器を含む。制御装置は、燃料電池の種別を示すメッセージを受信する。これによって、制御装置は、燃料電池を適切に制御する（例えば、特許文献１参照）。
【先行技術文献】
【特許文献】
【０００３】
【特許文献１】特開２０１４−３２９４１号公報
【発明の概要】
【発明が解決しようとする課題】
【０００４】
燃料電池に関して燃料電池の種別以外の情報が必要になることがある。その場合、燃料電池の種別だけを収集しても不十分である。
【０００５】
本発明はこうした状況に鑑みなされたものであり、その目的は、接続された燃料電池システムに関して十分な情報を収集する技術を提供することにある。
【課題を解決するための手段】
【０００６】
上記課題を解決するために、本発明のある態様の電力管理システムは、燃料電池システムに接続される電力管理システムであって、燃料電池システムに関する情報を燃料電池システムから受信する受信部と、受信部において受信した情報をもとに処理を実行する処理部とを備える。燃料電池システムに関する情報は、燃料電池システムに供給される燃料の種類に関する情報を含む。
【０００７】
本発明の別の態様は、燃料電池システムである。この燃料電池システムは、電力管理システムに接続される燃料電池システムであって、本燃料電池システムに関する情報を生成する生成部と、生成部において生成した情報を電力管理システムに送信する送信部とを備える。本燃料電池システムに関する情報は、本燃料電池システムに供給される燃料の種類に関する情報を含む。
【０００８】
本発明のさらに別の態様は、受信方法である。この方法は、燃料電池システムに接続される電力管理システムにおける受信方法であって、燃料電池システムに関する情報を燃料電池システムから受信するステップと、受信した情報をもとに処理を実行するステップとを備える。燃料電池システムに関する情報は、燃料電池システムに供給される燃料の種類に関する情報を含む。
【０００９】
なお、以上の構成要素の任意の組合せ、本発明の表現を方法、装置、システム、コンピュータプログラム、またはコンピュータプログラムを記録した記録媒体などの間で変換したものもまた、本発明の態様として有効である。
【発明の効果】
【００１０】
本発明によれば、接続された燃料電池システムに関して十分な情報を収集できる。
【図面の簡単な説明】
【００１１】
【図１】実施例に係るＶＰＰシステムの構成を示す図である。
【図２】図１の需要家の構成を示す図である。
【図３】図２の電力管理システムサーバ、第１制御装置、第２制御装置の構成を示す図である。
【図４】図４（ａ）−（ｉ）は、図２の電力管理システムサーバにおいて使用されるメッセージのフォーマットを示す図である。
【図５】図３の処理部に記憶されるデータベースのデータ構造を示す図である。
【図６】図６（ａ）−（ｄ）は、図１のＶＰＰシステムにおける電力管理システムサーバの様々な配置を示す図である。
【図７】図１のＶＰＰシステムにおける収集手順を示すシーケンス図である。
【発明を実施するための形態】
【００１２】
本発明の実施例を具体的に説明する前に、本実施例の概要を説明する。実施例は、点在する小規模な太陽光発電システム、蓄電システム、燃料電池システム等の機器と、電力の需要抑制を統合して制御するＶＰＰ（Ｖｉｒｔｕａｌ  Ｐｏｗｅｒ  Ｐｌａｎｔ）に関する。ＶＰＰは、太陽光発電システム、蓄電システム、燃料電池システム等の機器をネットワークを介して制御することによって、これらを１つの発電所のようにまとめて機能させる。ここで、太陽光発電システム、蓄電システム、燃料電池システム等の機器は各需要家に設置される。需要家は、電力会社等からの電力の供給を受けている施設であり、例えば、住宅、事務所、店舗、工場、公園などである。このような需要家における機器は電力管理システムによって制御される。電力管理システムは、需要家における電力の消費量が大きい時間帯において蓄電システムを放電させたり、電力系統の電気料金が安価である夜間において蓄電システムを充電させたりする。
【００１３】
複数の電力管理システムは、群管理システムに接続される。また、群管理システムは、複数の群管理システムを統合するアグリゲータである上位システムに接続される。上位システムと群管理システムとがＶＰＰに相当する。上位システムは、市場で、あるいは事業者と相対契約で電力を取引する。また、上位システムは、電力取引市場や電力会社の送配電部門、小売電気事業者等に集約した調整力を提供する。そのため、上位システムは、市場あるいは各事業者に提供する調整力を決定し、調整力を各群管理システムに配分する。各群管理システムは、さらに調整力を各需要家に配分する。これより、群管理システムは、上位システムからの要求に応じて売電あるいは買電するように、複数の電力管理システムのそれぞれに対して制御を指示する。例えば、群管理システムは、発電所において発電される電力が逼迫する場合、蓄電システムを放電させたり、需要家における電力消費を抑制させたりするように制御することを電力管理システムに要求する。なお、上位システムが存在しない場合、ＶＰＰは群管理システムだけを含み、群管理システムは市場で、あるいは事業者と相対契約で電力を取引する。
【００１４】
再生可能エネルギーを使用することによって、地球温暖化を防止するなどの環境への貢献が期待される。環境に貢献した程度を見積もるために、電力管理システムは、発電によるＣＯ２排出量を計算する。ＣＯ２排出量は、再生可能エネルギー発電装置として燃料電池システムを使用する場合、ガス消費量に係数を乗算することによって導出される。この係数は、再生可能エネルギー発電装置に使用するガスの種類によって異なる。そのため、電力管理システムは、燃料電池の種別だけを収集しても、ＣＯ２排出量を計算できない。このような状況に対応するために、本実施例に係る電力管理システムでは、制御対象となる燃料電池システムに供給されるガスの種類に関する情報を収集して管理する。
【００１５】
図１は、実施例に係るＶＰＰシステム１００の構成を示す。ＶＰＰシステム１００は、上位システムサーバ１０、群管理システムサーバ１２と総称される第１群管理システムサーバ１２ａ、第２群管理システムサーバ１２ｂ、第Ｍ群管理システムサーバ１２ｍ、電力管理システムサーバ１４と総称される第１電力管理システムサーバ１４ａ、第２電力管理システムサーバ１４ｂ、第Ｎ電力管理システムサーバ１４ｎを含む。ここで、第１電力管理システムサーバ１４ａは第１需要家１６ａに設置され、第２電力管理システムサーバ１４ｂは第２需要家１６ｂに設置され、第Ｎ電力管理システムサーバ１４ｎは第Ｎ需要家１６ｎに設置され、第１需要家１６ａ、第２需要家１６ｂ、第Ｎ需要家１６ｎは需要家１６と総称される。なお、群管理システムサーバ１２の数は「Ｍ」に限定されず、電力管理システムサーバ１４と需要家１６の数は「Ｎ」に限定されない。
【００１６】
需要家１６は、例えば、一戸建ての住宅、マンションなどの集合住宅、コンビニエンスストアまたはスーパーマーケットなどの店舗、ビルなどの商用施設、工場であり、前述のごとく、電力会社等からの電力の供給を受けている施設である。需要家１６には、空調機器（エアコン）、テレビジョン受信装置（テレビ）、照明装置、蓄電システム、ヒートポンプ給湯機等の機器が設置される。これらの機器は、電力事業者等の電力系統に接続されることによって、商用電力の供給を受けて、電力を消費する。機器として、電力使用の削減量が比較的大きいと想定されるものが有用であるが、削減量があまり大きくないと想定されるものであってもよい。なお、機器に、太陽電池システム、燃料電池システム等の再生可能エネルギー発電装置が含まれてもよい。
【００１７】
電力管理システムサーバ１４は、電力管理システムの処理を実行するためのコンピュータであり、例えば、需要家１６内に設置される。電力管理システムサーバ１４は、例えば、ＨＥＭＳ（Ｈｏｍｅ  Ｅｎｅｒｇｙ  Ｍａｎａｇｅｍｅｎｔ  Ｓｙｓｔｅｍ）コントローラとしての機能を有する。そのため、電力管理システムサーバ１４は、ＨＡＮ（Ｈｏｍｅ  Ａｒｅａ  Ｎｅｔｗｏｒｋ）により需要家１６内の各種機器と通信可能であり、これらの機器を制御する。電力管理システムサーバ１４は、蓄電システムの動作、例えば、放電、充電を制御する。また、電力管理システムサーバ１４は、需要家１６に設置された機器と電力系統との間の連系を制御してもよい。電力管理システムサーバ１４は、停電時に機器と電力系統との間を解列し、復電時に機器と電力系統との間を連系する。
【００１８】
群管理システムサーバ１２は、群管理システムの処理を実行するためのコンピュータである。群管理システムサーバ１２は、複数の電力管理システムサーバ１４を接続することによって、複数の電力管理システムサーバ１４を管理する。その結果、群管理システムサーバ１２は、複数の電力管理システムサーバ１４のそれぞれに接続される複数の機器を統括的に管理する。複数の群管理システムサーバ１２は、上位システムサーバ１０に接続される。上位システムサーバ１０は、アグリゲータである上位システムの処理を実行するためのコンピュータである。前述のごとく、上位システムと群管理システムを含むＶＰＰは、市場で、あるいは事業者と相対契約で電力を取引しており、上位システムサーバ１０は、契約に応じた要求を群管理システムサーバ１２に出力する。なお、１つの群管理システムサーバ１２が複数の上位システムサーバ１０に接続されてもよい。
【００１９】
このような構成によって、電力需要が逼迫する場合、群管理システムサーバ１２は、蓄電システムから放電した電力を需要家１６内で消費させたり、需要家１６内での電力消費を抑制させたりするように電力管理システムサーバ１４を制御する。また、需要家１６内の再生可能エネルギー発電装置での発電が増加し、余剰の電力が増加する場合、群管理システムサーバ１２は、蓄電システムへの充電を増やしたり、需要家１６内での需要を増大させたりするように電力管理システムサーバ１４を制御する。特に、群管理システムサーバ１２は、電力需要が逼迫する場合に燃料電池システムに発電を実行させ、余剰の電力が増加する場合に燃料電池システムを停止させる。
【００２０】
図２は、需要家１６の構成を示す。需要家１６には、電力系統３０、スマートメータ３２、分電盤３４、負荷３６、蓄電システム４０、燃料電池システム４６、電力管理システムサーバ１４が設置される。また、蓄電システム４０は、ＳＢ（Ｓｔｏｒａｇｅ  Ｂａｔｔｅｒｙ）２１０、ＳＢ用ＤＣ（Ｄｉｒｅｃｔ  Ｃｕｒｒｅｎｔ）／ＤＣ２１２、双方向ＤＣ／ＡＣ（Ａｌｔｅｒｎａｔｉｎｇ  Ｃｕｒｒｅｎｔ）インバータ２１４、第１制御装置２１８を含み、燃料電池システム４６は、燃料電池２２０、燃料電池用ＤＣ／ＤＣ２２２、ＤＣ／ＡＣインバータ２２４、第２制御装置２２８を含む。なお、電力管理システムサーバ１４には図１の群管理システムサーバ１２が接続されるが、以下では、群管理システムサーバ１２を省略する。
【００２１】
スマートメータ３２は、電力系統３０に接続され、デジタル式の電力量計である。スマートメータ３２は、電力系統３０から入ってくる潮流の電力量と、電力系統３０へ出て行く逆潮流の電力量とを計測可能である。スマートメータ３２は、通信機能を有し、電力管理システムサーバ１４と通信可能である。
【００２２】
配電線４２は、スマートメータ３２と分電盤３４とを結ぶ。分電盤３４は、配電線４２に接続されるとともに、負荷３６を接続する。分電盤３４は、負荷３６に電力を供給する。負荷３６は、配電線４２を介して供給される電力を消費する機器である。負荷３６は、冷蔵庫、エアコン、照明等の機器を含む。ここでは、分電盤３４に１つの負荷３６が接続されているが、分電盤３４に複数の負荷３６が接続されてもよい。
【００２３】
蓄電システム４０におけるＳＢ２１０は、電力を充放電可能な蓄電池であり、リチウムイオン蓄電池、ニッケル水素蓄電池、鉛蓄電池、電気二重層キャパシタ、リチウムイオンキャパシタ等を含む。ＳＢ２１０はＳＢ用ＤＣ／ＤＣ２１２に接続される。ＳＢ用ＤＣ／ＤＣ２１２は、ＤＣ−ＤＣコンバータであり、ＳＢ２１０側の直流電力と、双方向ＤＣ／ＡＣインバータ２１４側の直流電力との間の変換を実行する。
【００２４】
双方向ＤＣ／ＡＣインバータ２１４は、ＳＢ用ＤＣ／ＤＣ２１２と分電盤３４との間に接続される。双方向ＤＣ／ＡＣインバータ２１４は、分電盤３４からの交流電力を直流電力に変換し、変換した直流電力をＳＢ用ＤＣ／ＤＣ２１２に出力する。また、双方向ＤＣ／ＡＣインバータ２１４は、ＳＢ用ＤＣ／ＤＣ２１２からの直流電力を交流電力に変換し、変換した交流電力を分電盤３４に出力する。つまり、双方向ＤＣ／ＡＣインバータ２１４によってＳＢ２１０は充放電される。このような双方向ＤＣ／ＡＣインバータ２１４の制御は第１制御装置２１８によってなされる。
【００２５】
燃料電池２２０は、電気化学反応によって燃料の化学エネルギーから発電を実行する。燃料には、例えば、水素、炭化水素、アルコールなどのガスが使用される。燃料電池２２０の構成には公知の技術が使用されればよいので、ここでは説明を省略する。燃料電池２２０は燃料電池用ＤＣ／ＤＣ２２２に接続される。燃料電池用ＤＣ／ＤＣ２２２は、ＤＣ−ＤＣコンバータであり、燃料電池２２０側の直流電力と、ＤＣ／ＡＣインバータ２２４側の直流電力との間の変換を実行する。ＤＣ／ＡＣインバータ２２４は、燃料電池用ＤＣ／ＤＣ２２２と分電盤３４との間に接続される。ＤＣ／ＡＣインバータ２２４は、燃料電池用ＤＣ／ＤＣ２２２からの直流電力を交流電力に変換し、変換した交流電力を分電盤３４に出力する。このようなＤＣ／ＡＣインバータ２２４の制御は第２制御装置２２８によってなされる。
【００２６】
ここで、ＳＢ２１０、ＳＢ用ＤＣ／ＤＣ２１２、双方向ＤＣ／ＡＣインバータ２１４、第１制御装置２１８は１つの筐体に格納されてもよく、その場合であっても、これを蓄電システム４０と呼ぶものとする。また、燃料電池２２０、燃料電池用ＤＣ／ＤＣ２２２、ＤＣ／ＡＣインバータ２２４、第２制御装置２２８は１つの筐体に格納されてもよく、その場合であっても、これを燃料電池システム４６と呼ぶものとする。
【００２７】
電力管理システムサーバ１４は、ＨＡＮ等のネットワークを介して、スマートメータ３２、蓄電システム４０、燃料電池システム４６に接続され、それぞれと通信可能である。以下では、電力管理システムサーバ１４とスマートメータ３２との間の通信、電力管理システムサーバ１４と蓄電システム４０との間の通信は説明を省略する。電力管理システムサーバ１４における処理および通信を説明するために、ここでは、図３を使用する。
【００２８】
図３は、電力管理システムサーバ１４、第１制御装置２１８、第２制御装置２２８の構成を示す。電力管理システムサーバ１４は、サービス連携部３００、制御部３０２を含み、制御部３０２は、受信部５００、処理部５０２、生成部５０４、送信部５０６を含む。第２制御装置２２８は、受信部４００、処理部４０２、生成部４０４、送信部４０６を含む。
【００２９】
サービス連携部３００は、ＶＰＰのようなサービスとの双方向連携を実現するための処理を実行する。また、サービス連携部３００は、電力管理システムサーバ１４に登録されている機器のプロファイルをサービスへ提供する。これらのような処理をＶＰＰとの間で実行するために、サービス連携部３００は、図示しない群管理システムサーバ１２と通信する。
【００３０】
制御部３０２は、需要家１６に設置された機器、例えば、蓄電システム４０、燃料電池システム４６との連携を実現するための処理を実行する。連携によって、制御部３０２は、機器から情報を収集したり、機器を制御したりする。ここで、制御部３０２と各機器との間の通信は、所定のプロトコルにしたがった方式でなされる。所定のプロトコルは、例えば、「ＥＣＨＯＮＥＴ  Ｌｉｔｅ」、「ＥＣＨＯＮＥＴ」である。しかしながら、所定のプロトコルはこれらに限定されない。
【００３１】
制御部３０２の生成部５０４は、情報を送信する機能の有無に関する情報を第２制御装置２２８に要求するためのメッセージを生成する。図４（ａ）−（ｉ）は、電力管理システムサーバ１４において使用されるメッセージのフォーマットを示す。図４（ａ）のごとく、メッセージでは、メッセージ種別のフィールドに続いてデータのフィールドが配置される。メッセージ種別のフィールドは、メッセージの種別を示し、データのフィールドは、通知してほしいデータを示す。ここでは、例えば、メッセージ種別のフィールドが送信機能有無要求を示し、データのフィールドが「情報を送信する機能の有無」を示す。図４（ｂ）−（ｉ）は後述し、図３に戻る。生成部５０４は、送信機能有無要求のメッセージを送信部５０６に出力する。送信部５０６は、送信機能有無要求のメッセージを第２制御装置２２８に送信する。
【００３２】
第２制御装置２２８の受信部４００は、送信機能有無要求のメッセージを受信する。処理部４０２は、メッセージ種別のフィールドをもとに送信機能有無要求であることを認識し、データのフィールドをもとに、「情報を送信する機能の有無」を通知すべきであることを認識する。ここでは、送信機能があるとする。これに続いて、生成部４０４は、送信機能有無要求に応答するためのメッセージを生成する。メッセージのフォーマットは図４（ｂ）のように示され、メッセージ種別のフィールドには送信機能有無応答が示され、データのフィールドには送信機能有が示される。一方、図４（ｃ）は送信機能がない場合のメッセージのフォーマットを示す。メッセージ種別のフィールドは図４（ｂ）と同一であり、データのフィールドには送信機能無が示される。図３に戻る。生成部４０４は、送信機能有無応答のメッセージを送信部４０６に出力する。送信部４０６は、送信機能有無応答のメッセージを電力管理システムサーバ１４に送信する。
【００３３】
制御部３０２の受信部５００は、送信機能有無応答のメッセージを第２制御装置２２８から受信する。これは、情報を送信する機能の有無に関する情報、特に燃料電池システム４６に供給される燃料の種類に関する情報を送信する機能の有無に関する情報を受信することに相当する。処理部５０２は、メッセージ種別のフィールドをもとに送信機能有無応答であることを認識し、データのフィールドをもとに、第２制御装置２２８に送信機能が備えられていることを認識する。
【００３４】
処理部５０２において、第２制御装置２２８が送信機能を有していることを認識した場合、生成部５０４は、燃料電池システム４６に関する情報として、燃料電池システム４６の種類に関する情報を第２制御装置２２８に要求するためのメッセージを生成する。メッセージのフォーマットは図４（ａ）と同じであるが、メッセージ種別のフィールドには燃料電池システム種類要求が示され、データのフィールドには、燃料電池システム４６の種類が示される。生成部５０４は、燃料電池システム種類要求のメッセージを送信部５０６に出力する。送信部５０６は、燃料電池システム種類要求のメッセージを第２制御装置２２８に送信する。
【００３５】
第２制御装置２２８の受信部４００は、燃料電池システム種類要求のメッセージを受信する。処理部４０２は、メッセージ種別のフィールドをもとに燃料電池システム種類要求であることを認識し、データのフィールドをもとに、「燃料電池システム４６の種類」を通知すべきであることを認識する。これに続いて、生成部４０４は、燃料電池システム種類要求に応答するためのメッセージを生成する。メッセージのフォーマットは図４（ｄ）−（ｆ）のように示され、メッセージ種別のフィールドには燃料電池システム種類応答が示され、データのフィールドには燃料電池システム４６の種類が示される。ここでは、例えば、燃料電池システム４６の種類として第１型から第３型が規定されているとする。生成部４０４には、燃料電池システム４６の種類が予め記憶されている。図３に戻る。生成部４０４は、燃料電池システム種類応答のメッセージを送信部４０６に出力する。送信部４０６は、燃料電池システム種類応答のメッセージを電力管理システムサーバ１４に送信する。
【００３６】
制御部３０２の受信部５００は、燃料電池システム種類応答のメッセージを第２制御装置２２８から受信する。処理部５０２は、メッセージ種別のフィールドをもとに燃料電池システム種類応答であることを認識し、データのフィールドをもとに、燃料電池システム４６が第１型から第３型のいずれかであることを認識する。これに続いて、生成部５０４は、燃料電池システム４６に関する情報として、燃料電池システム４６に供給される燃料の種類に関する情報を第２制御装置２２８に要求するためのメッセージを生成する。ここでは、燃料の種類はガスの種類であるとする。メッセージのフォーマットは図４（ａ）と同じであるが、メッセージ種別のフィールドにはガス種類要求が示され、データのフィールドにはガスの種類が示される。生成部５０４は、ガス種類要求のメッセージを送信部５０６に出力する。送信部５０６は、ガス種類要求のメッセージを第２制御装置２２８に送信する。
【００３７】
第２制御装置２２８の受信部４００は、ガス種類要求のメッセージを受信する。処理部４０２は、メッセージ種別のフィールドをもとにガス種類要求であることを認識し、データのフィールドをもとに、「ガスの種類」を通知すべきであることを認識する。生成部４０４は、ガス種類要求に応答するためのメッセージを生成する。メッセージのフォーマットは図４（ｇ）−（ｈ）のように示され、メッセージ種別のフィールドにはガス種類応答が示され、データのフィールドにはガスの種類が示される。ここでは、例えば、ガスの種類として都市ガスとプロパンガスが規定されているとする。生成部４０４には、ガスの種類が予め記憶されている。なお、ガスの種類に関する情報は、直接的に示す情報であってもよく、間接的に示す情報であってもよい。図３に戻る。生成部４０４は、ガス種類応答のメッセージを送信部４０６に出力する。送信部４０６は、ガス種類応答のメッセージを電力管理システムサーバ１４に送信する。
【００３８】
制御部３０２の受信部５００は、ガス種類応答のメッセージを第２制御装置２２８から受信する。処理部５０２は、メッセージ種別のフィールドをもとにガス種類応答であることを認識し、データのフィールドをもとに、ガスの種類が都市ガスまたはプロパンガスであることを認識する。これに続いて、生成部５０４は、燃料電池システム４６に関する情報として、燃料電池システム４６において使用されるガスの消費量に関する情報を第２制御装置２２８に要求するためのメッセージを生成する。メッセージのフォーマットは図４（ａ）と同じであるが、メッセージ種別のフィールドにはガス消費量要求が示され、データのフィールドには消費量が示される。生成部５０４は、ガス消費量要求のメッセージを送信部５０６に出力する。送信部５０６は、ガス消費量要求のメッセージを第２制御装置２２８に送信する。
【００３９】
第２制御装置２２８の受信部４００は、ガス消費量要求のメッセージを受信する。処理部４０２は、メッセージ種別のフィールドをもとにガス消費量要求であることを認識し、データのフィールドをもとに、「ガスの消費量」を通知すべきであることを認識する。処理部４０２は、燃料電池２２０からガスの消費量を取得する。生成部４０４は、ガス消費量要求に応答するためのメッセージを生成する。メッセージのフォーマットは図４（ｉ）のように示され、メッセージ種別のフィールドにはガス消費量応答が示され、データのフィールドにはガス消費量が示される。図３に戻る。生成部４０４は、ガス消費量応答のメッセージを送信部４０６に出力する。送信部４０６は、ガス消費量応答のメッセージを電力管理システムサーバ１４に送信する。
【００４０】
制御部３０２の受信部５００は、ガス消費量応答のメッセージを第２制御装置２２８から受信する。処理部５０２は、メッセージ種別のフィールドをもとにガス消費量応答であることを認識し、データのフィールドをもとにガスの消費量を認識する。以上の処理の結果、処理部５０２は、燃料電池システム４６の種類、ガスの種類、ガスの消費量に関する情報を取得し、これらを記憶する。図５は、制御部３０２に記憶されるデータベースのデータ構造を示す。図示のごとく、燃料電池システム種類、ガス種類、ガス消費量が記憶される。図３に戻る。処理部５０２は、燃料電池システム４６の種類に関する情報をもとに、燃料電池システム４６を制御するが、この制御には公知の技術が使用されればよいので、ここでは説明を省略する。また、処理部５０２は、都市ガスに対応した係数とプロパンガスに対応した係数とを記憶しており、ガスの種類に関する情報に対応した係数を選択する。さらに、処理部５０２は、選択した係数とガス消費量とを乗算することによってＣＯ２排出量を計算する。処理部５０２は、図示しない出力部、例えば表示部にＣＯ２排出量を出力する。表示部は、ＣＯ２排出量を表示する。
【００４１】
本開示における装置、システム、または方法の主体は、コンピュータを備えている。このコンピュータがプログラムを実行することによって、本開示における装置、システム、または方法の主体の機能が実現される。コンピュータは、プログラムにしたがって動作するプロセッサを主なハードウェア構成として備える。プロセッサは、プログラムを実行することによって機能を実現することができれば、その種類は問わない。プロセッサは、半導体集積回路（ＩＣ）、またはＬＳＩ（Ｌａｒｇｅ  Ｓｃａｌｅ  Ｉｎｔｅｇｒａｔｉｏｎ）を含む１つまたは複数の電子回路で構成される。複数の電子回路は、１つのチップに集積されてもよいし、複数のチップに設けられてもよい。複数のチップは１つの装置に集約されていてもよいし、複数の装置に備えられていてもよい。プログラムは、コンピュータが読み取り可能なＲＯＭ、光ディスク、ハードディスクドライブなどの非一時的記録媒体に記録される。プログラムは、記録媒体に予め格納されていてもよいし、インターネット等を含む広域通信網を介して記録媒体に供給されてもよい。
【００４２】
これまでは、電力管理システムサーバ１４が需要家１６に配置されているとしている。しかしながら、電力管理システムサーバ１４の配置はこれに限定されない。ここでは、電力管理システムサーバ１４の様々な配置を説明する。図６（ａ）−（ｄ）は、ＶＰＰシステム１００における電力管理システムサーバ１４の様々な配置を示す。図６（ａ）は、電力管理システムサーバ１４が需要家１６に配置される場合であり、これまでと同一である。図６（ｂ）は、電力管理システムサーバ１４のうちのサービス連携部３００と制御部３０２とが別々の装置として構成され、制御部３０２だけが需要家１６に配置され、サービス連携部３００は需要家１６外に配置される場合である。
【００４３】
図６（ｃ）は、電力管理システムサーバ１４が需要家１６外に配置され、需要家１６にＧＷ（Ｇａｔｅｗａｙ）２０が配置される場合である。ここで、電力管理システムサーバ１４とＧＷ２０が接続されるとともに、ＧＷ２０には、図示しない機器が接続される。図６（ｄ）は、電力管理システムサーバ１４の機能が群管理システムサーバ１２に含まれ、需要家１６にＧＷ２０が配置される場合である。ここで、群管理システムサーバ１２とＧＷ２０が接続されるとともに、ＧＷ２０には、図示しない機器が接続される。
【００４４】
以上の構成によるＶＰＰシステム１００の動作を説明する。図７は、ＶＰＰシステム１００における収集手順を示すシーケンス図である。電力管理システムサーバ１４は送信機能有無要求のメッセージを燃料電池システム４６に送信する（Ｓ１０）。燃料電池システム４６は送信機能有無応答のメッセージを電力管理システムサーバ１４に送信する（Ｓ１２）。電力管理システムサーバ１４は燃料電池システム種類要求のメッセージを燃料電池システム４６に送信する（Ｓ１４）。燃料電池システム４６は燃料電池システム種類応答のメッセージを電力管理システムサーバ１４に送信する（Ｓ１６）。電力管理システムサーバ１４はガス種類要求のメッセージを燃料電池システム４６に送信する（Ｓ１８）。燃料電池システム４６はガス種類応答のメッセージを電力管理システムサーバ１４に送信する（Ｓ２０）。電力管理システムサーバ１４はガス消費量要求のメッセージを燃料電池システム４６に送信する（Ｓ２２）。燃料電池システム４６はガス消費量応答のメッセージを電力管理システムサーバ１４に送信する（Ｓ２４）。なお、ガスの種類に関する情報は、図７に限定されず、他のプロパティ、他のタイミングで取得してもよい。
【００４５】
本実施例によれば、燃料電池システム４６に供給される燃料の種類に関する情報が含まれたメッセージを受信するので、燃料電池システム４６に供給される燃料の種類に関する情報を収集できる。また、燃料電池システム４６に供給される燃料の種類に関する情報が収集されるので、ＣＯ２排出量を計算するための係数を設定できる。また、ＣＯ２排出量を計算するための係数が設定されるので、接続された燃料電池システム４６に関して十分な情報を収集できる。また、燃料電池システム４６に供給される燃料の種類に関する情報に、ガスの種類に関する情報が含まれているので、ガスの種類を取得できる。また、ガスの種類に関する情報は都市ガスまたはプロパンガスを示すので、処理を簡易にできる。
【００４６】
また、燃料電池システム４６に供給される燃料の種類に関する情報を送信する機能の有無に関する情報を受信するので、これに続く処理を実行できる。また、燃料電池システム４６に供給される燃料の種類に関する情報を送信する機能を有していることに関する情報を受信してから、燃料電池システム４６に供給される燃料の種類に関する情報を要求するので、処理の効率を向上できる。また、燃料電池システム４６に関する情報に、燃料電池システム４６の種類に関する情報が含まれるので、燃料電池システム４６に供給される燃料の種類に関する情報に加えて、燃料電池システム４６の種類に関する情報を取得できる。また、燃料電池システム４６に関する情報に、燃料電池システム４６において使用されるガスの消費量に関する情報が含まれるので、ＣＯ２排出量を計算できる。また、本燃料電池システム４６に供給される燃料の種類に関する情報が含まれたメッセージを送信するので、燃料電池システム４６に供給される燃料の種類に関する情報を収集させることができる。
【００４７】
本発明の一態様の概要は、次の通りである。本発明のある態様の電力管理システムサーバ１４は、燃料電池システム４６に接続される電力管理システムサーバ１４であって、燃料電池システム４６に関する情報を燃料電池システム４６から受信する受信部５００と、受信部５００において受信した情報をもとに処理を実行する処理部５０２とを備える。燃料電池システム４６に関する情報は、燃料電池システム４６に供給される燃料の種類に関する情報を含む。
【００４８】
燃料電池システム４６に供給される燃料の種類に関する情報は、ガスの種類に関する情報を含んでもよい。
【００４９】
ガスの種類に関する情報は、都市ガスまたはプロパンガスを示す。
【００５０】
受信部５００は、燃料電池システム４６に供給される燃料の種類に関する情報を送信する機能の有無に関する情報を燃料電池システム４６から受信してもよい。
【００５１】
受信部５００において、燃料電池システム４６に供給される燃料の種類に関する情報を送信する機能を有していることに関する情報を受信してから、燃料電池システム４６に供給される燃料の種類に関する情報を要求するための情報を送信する送信部５０６をさらに備えてもよい。
【００５２】
燃料電池システム４６に関する情報は、燃料電池システム４６の種類に関する情報を含んでもよい。
【００５３】
燃料電池システム４６に関する情報は、燃料電池システム４６において使用されるガスの消費量に関する情報を含んでもよい。
【００５４】
本発明の別の態様は、燃料電池システム４６である。この燃料電池システム４６は、電力管理システムサーバ１４に接続される燃料電池システム４６であって、本燃料電池システム４６に関する情報を生成する生成部４０４と、生成部４０４において生成した情報を電力管理システムサーバ１４に送信する送信部４０６とを備える。本燃料電池システム４６に関する情報は、本燃料電池システム４６に供給される燃料の種類に関する情報を含む。
【００５５】
本発明のさらに別の態様は、受信方法である。この方法は、燃料電池システム４６に接続される電力管理システムサーバ１４における受信方法であって、燃料電池システム４６に関する情報を燃料電池システム４６から受信するステップと、受信した情報をもとに処理を実行するステップとを備える。燃料電池システム４６に関する情報は、燃料電池システム４６に供給される燃料の種類に関する情報を含む。
【００５６】
以上、本発明を実施例をもとに説明した。この実施例は例示であり、それらの各構成要素あるいは各処理プロセスの組合せにいろいろな変形例が可能なこと、またそうした変形例も本発明の範囲にあることは当業者に理解されるところである。
【００５７】
本実施例において、ガスの種類に関する情報として都市ガスまたはプロパンガスが示される。しかしながらこれに限らず例えば、これら以外の種類が示されてもよい。本変形例によれば、構成の自由度を拡張できる。
【符号の説明】
【００５８】
１０  上位システムサーバ、  １２  群管理システムサーバ、  １４  電力管理システムサーバ（電力管理システム）、  １６  需要家、  １８  ネットワーク、  ２０  ＧＷ、  ３０  電力系統、  ３２  スマートメータ、  ３４  分電盤、  ３６  負荷、  ４０  蓄電システム、  ４２  配電線、  ４６  燃料電池システム、  １００  ＶＰＰシステム、  ２１０  ＳＢ、  ２１２  ＳＢ用ＤＣ／ＤＣ、  ２１４  双方向ＤＣ／ＡＣインバータ、  ２１８  第１制御装置、  ２２０  燃料電池、  ２２２  燃料電池用ＤＣ／ＤＣ、  ２２４  ＤＣ／ＡＣインバータ、  ２２８  第２制御装置、  ３００  サービス連携部、  ３０２  制御部、  ４００  受信部、  ４０２  処理部、  ４０４  生成部、  ４０６  送信部、  ５００  受信部、  ５０２  処理部、  ５０４  生成部、  ５０６  送信部。
【図１】
2018207629.tif 000003
【図２】
2018207629.tif 000004
【図３】
2018207629.tif 000005
【図４】
2018207629.tif 000006
【図５】
2018207629.tif 000007
【図６】
2018207629.tif 000008
【図７】
2018207629.tif 000009